(57)【要約】【課題】  昇降収納装置内における結露を防止するとともに、駆動部から発生する熱を効率的に排熱することができ、しかも、内部にゴミや埃、虫等が侵入しにくい昇降収納装置を提供すること。【解決手段】  前方及び下方が開放された外部ケース３と、外部ケース３内に昇降自在に設けた昇降棚４と、外部ケース３の前面に設けられ、上部を軸として前後方向に開閉する扉５とを備えた昇降収納装置１であって、扉５は四周に設けられた中空部材からなるフレーム６と、四周のフレーム６内に設けられた面材７とで構成され、フレーム６に扉５の前面側から後面側に貫通する換気口８を設けてなるようにする。【選択図】図３
2006087518.tif 000002
【特許請求の範囲】
【請求項１】
前方及び下方が開放された外部ケースと、外部ケース内に昇降自在に設けた昇降棚と、外部ケースの前面に設けられ、上部を軸として前後方向に開閉する扉とを備えた昇降収納装置であって、
前記扉は四周に設けられた中空部材からなるフレームと、四周のフレーム内に設けられた面材とで構成され、前記フレームに扉の前面側から後面側に貫通する換気口を設けたことを特徴とする昇降収納装置。
【請求項２】
請求項１記載の昇降収納装置において、
前記換気口は横長に形成されると共に、高さ方向に複数隣接して形成され、隣り合う換気口間に扉の前方に向けて突出する横長のリブを設けたことを特徴とする昇降収納装置。
【発明の詳細な説明】
【技術分野】
【０００１】
本発明は、昇降収納装置に関するものであり、さらに詳しくは、主として食器等を収納して乾燥させるための昇降収納装置に関するものである。
【背景技術】
【０００２】
従来より、下方が開放された外部ケースに乾燥させる物品を収容する昇降棚を昇降自在に設け、外部ケース側に巻取りドラムを駆動部によって正逆駆動回転自在に設け、巻取りドラムに系着した昇降ベルトを昇降棚に連係して昇降ベルトの巻取り及び繰出しによって昇降棚を昇降させる昇降収納装置が知られている（例えば、特許文献１）。
【特許文献１】特開２００１−１４９２９７号公報
【発明の開示】
【発明が解決しようとする課題】
【０００３】
しかしながら、従来の昇降収納装置においては、換気口が外部ケースの底面にしか設けられておらず、外部ケースの内面に結露が生じてしまうおそれがあった。そのため、外部ケースの内面の防滴処理を必要とする場合があった。また、駆動部から発生する熱を効率的に排熱することが困難であった。
【０００４】
ここで、図６に示すように、外部ケース３３の前面側の扉３５を開閉可能とした昇降収納装置３１も知られているが、このものについては、昇降棚３４が上昇して外部ケース３３内に収納された状態において、扉３５も閉状態となるために、上記の問題を解決するには至らないものであった。
【０００５】
本発明は、かかる事由に鑑みてなしたもので、その目的とするところは、昇降収納装置内における結露を防止するとともに駆動部から発生する熱を効率的に排熱することができ、しかも、内部にゴミや埃、虫等が侵入しにくい昇降収納装置を提供することにある。
【課題を解決するための手段】
【０００６】
上記課題を解決するために、本発明では、第１には、前方及び下方が開放された外部ケースと、外部ケース内に昇降自在に設けた昇降棚と、外部ケースの前面に設けられ、上部を軸として前後方向に開閉する扉とを備えた昇降収納装置であって、前記扉は四周に設けられた中空部材からなるフレームと、四周のフレーム内に設けられた面材とで構成され、前記フレームに扉の前面側から後面側に貫通する換気口を設けてなるようにする。
【０００７】
第２には、上記第１の昇降収納装置において、前記換気口は横長に形成されると共に、高さ方向に複数隣接して形成され、隣り合う換気口間に扉の前方に向けて突出する横長のリブを設けてなるようにする。
【発明の効果】
【０００８】
上記本発明の第１の昇降収納装置においては、昇降収納装置内の換気を良好に行うことができ、昇降収納装置内における結露を防止するとともに駆動部から発生する熱を効率的に排熱することができるようになる。
【０００９】
また、中空部材からなるフレームに、扉の前面側から後面側に貫通する換気口を設けてなるので、換気口がフレームの前面側と後面側の２重構造となるため、外部ケース内にゴミや埃、虫等が侵入しにくいものとなる。
【００１０】
上記本発明の第２の昇降収納装置においては、前記換気口は横長に形成されると共に、高さ方向に複数隣接して形成され、隣り合う換気口間に扉の前方に向けて突出する横長のリブを設けてなるので、外部ケース内にゴミや埃、虫等がさらに侵入しにくいものとなる。
【発明を実施するための最良の形態】
【００１１】
（実施形態１）
本発明の実施形態１における昇降収納装置１について、図１〜４に基づいて説明する。
【００１２】
本実施形態における昇降収納装置１は、図１に示すような食器乾燥装置であり、天袋の一部を構成するもので、例えば、調理部と食堂とを仕切る天袋の一部として設置され、その下方にはカウンター２が配設される。
【００１３】
昇降収納装置１は、図２及び図３に示すように、前方及び下方が開放された外部ケース３と、外部ケース３内に昇降自在に設けた昇降棚４と、外部ケース３の前面に設けられ、上部を軸として前後方向に開閉する扉５とを備えている。
【００１４】
外部ケース３の内部上部には滑車１１と巻取りドラム１２と駆動モータ１３を備えた駆動部１４が設置されている。そして、駆動部１４からの一対の昇降ベルト１５に昇降棚４を係着していて、駆動モータ１３によって昇降棚４を昇降させることができるようになっている。
【００１５】
ここで、昇降棚４が降下していくにつれて、扉５は上部を軸として下部が前方へ開くようになっており、逆に、昇降棚４が上昇していくにつれて、扉５は閉じるようになっている。
【００１６】
昇降棚４は、例えば、カラー塗装して錆び止めを図った金属線材を複数本架設して、略かご状にしたものであり、金属線材間に皿を挿入して保持したり、また、茶碗のような容器状の食器を内部に収容したりすることができるようになっている。
【００１７】
扉５は四周に設けられたアルミ製の中空部材からなるフレーム６と、四周のフレーム６内に設けられたガラス製の面材７とで構成されている。
【００１８】
フレーム６の上辺の左右２箇所には、扉５の前面側から後面側に貫通する換気口８が設けられている。
【００１９】
換気口８は横長に形成されると共に、高さ方向に複数隣接して形成され、隣り合う換気口８間には、図４に示すような、扉５の前方に向けて突出する横長のリブ９が複数設けられている。
【００２０】
また、本実施形態における昇降収納装置１の底面には、外部ケース３と昇降棚４との間に隙間１０が形成されている。この隙間１０から主に吸気が行われるとともに、フレーム６の上辺に設けられた換気口８から主に排気が行われ、これによって昇降収納装置１内の換気が良好に行われるのである。
【００２１】
以上のように、本実施形態における昇降収納装置１は、中空部材からなるフレーム６に、扉５の前面側から後面側に貫通する換気口８を設けてなるので、昇降収納装置１内の換気を良好に行うことができ、昇降収納装置１内における結露を防止するとともに、駆動部１４から発生する熱を効率的に排熱することができるようになる。
【００２２】
また、昇降収納装置１の底面に形成された隙間１０と、フレーム６の上辺に設けられた換気口８により、それぞれ吸気と排気が行われるようになる。
【００２３】
また、換気口８がフレーム６の前面側と後面側の２重構造となるため、昇降収納装置１内にゴミや埃、虫等が侵入しにくいものとなる。
【００２４】
また、換気口は横長に形成されると共に、高さ方向に複数隣接して形成され、隣り合う換気口間に扉の前方に向けて突出する横長のリブを設けてなるので、昇降収納装置１内にゴミや埃、虫等がさらに侵入しにくいものとなる。
【００２５】
（実施形態２）
次に、本発明の実施形態２における昇降収納装置１について、図５に基づいて説明する。本実施形態における昇降収納装置１は、実施形態１における昇降収納装置１と略等しいため、主に実施形態１と異なる点について説明する。
【００２６】
本実施形態における昇降収納装置１においては、扉５を構成するフレーム６の上辺の左右２箇所に加えて、フレーム６の下辺中央部にも、扉５の前面側から後面側に貫通する換気口８が設けられている。
【００２７】
ここで、実施形態１と同様に、換気口８は横長に形成されると共に、高さ方向に複数隣接して形成され、隣り合う換気口８間には、扉５の前方に向けて突出する横長のリブ９が複数設けられている。
【００２８】
また、本実施形態においては、昇降棚４の底面にシール材２０が設けられており、このシール材２０により、昇降棚４が上昇して外部ケース３内に収納された際に、昇降収納装置１の底面において、外部ケース３と昇降棚４との間の隙間がシールされるようになっている。
【００２９】
このように、本実施形態においては、フレーム６の下辺に設けられた換気口８から主に吸気が行われるとともに、フレーム６の上辺に設けられた換気口８から主に排気が行われ、これによって昇降収納装置１内の換気が良好に行われるのである。
【００３０】
以上のように、本実施形態における昇降収納装置１は、実施形態１における効果に加えて、昇降棚４の底面に備えられたシール材２０によって昇降収納装置１の底面がシールされるので、昇降収納装置１の底面側から虫等が侵入しにくくなる。
【図面の簡単な説明】
【００３１】
【図１】本発明に係る昇降収納装置１の斜視図である。
【図２】本発明の実施形態１における昇降収納装置１の概略正断面図である。
【図３】同実施形態１における昇降収納装置１の斜視図である。
【図４】図３におけるＡ−Ａ´断面図である。
【図５】本発明の実施形態２における昇降収納装置１の斜視図である。
【図６】従来の昇降収納装置３１の斜視図である。
【符号の説明】
【００３２】
１  昇降収納装置
３  外部ケース
４  昇降棚
５  扉
６  フレーム
７  面材
８  換気口
９  リブ
２０  シール材
【図１】
2006087518.tif 000003
【図２】
2006087518.tif 000004
【図３】
2006087518.tif 000005
【図４】
2006087518.tif 000006
【図５】
2006087518.tif 000007
【図６】
2006087518.tif 000008